(57)【要約】【課題】複数の店舗が集合した店舗において、各テナント店舗での滞在時間に応じて生活者が所持する移動体端末に情報を提供する情報提供システム等提供する。【解決手段】移動体端末３は、位置取得部１６を用いて自身の位置を取得し、移動体端末３が領域情報２１で示される領域内にあるか判定する。移動体端末３は、生活者が領域情報２１で示される領域内にいる間、小領域情報２２で示される各小領域における滞在時間を随時記録する。移動体端末３が領域を出ると、移動体端末３は滞在した小領域数と、小領域毎の滞在時間に基づいてテンプレートデータ２４から最適なテンプレート４１を選択し、選択したテンプレート４１の各枠４２に対応する小領域を選択し、小領域での滞在時間に基づいて、表示情報候補２３から表示する情報の内容を決定して表示する。【選択図】図５
2014067264.tif 000002
【特許請求の範囲】
【請求項１】
領域に含まれる複数の小領域に関する情報を、前記領域に滞留した後に表示する移動体端末であって、
位置情報を取得する位置取得手段と、
前記領域の境界情報、前記小領域の境界情報、及び、前記小領域ごとに関連付けられた表示情報の候補を記憶する情報記憶手段と、
前記位置情報と、前記領域の境界情報とから、前記領域に滞留しているか否かを判定する領域滞留判定手段と、
前記位置情報と、前記小領域の境界情報とから、前記小領域に滞留しているか否かを判定する小領域滞留判定手段と、
滞留した前記小領域、及び、滞留した前記小領域ごとの滞留時間を記憶する滞留記憶手段と、
前記領域滞留判定手段が前記領域から離れたと判定した後、滞留した前記小領域ごとに、前記滞留記憶手段が記憶した情報に基づいて、前記表示情報の候補の中から表示する前記情報を決定する表示情報決定手段と、
決定した前記情報を表示する表示手段と、
を備えることを特徴とする移動体端末。
【請求項２】
前記表示情報決定手段は、
滞留した前記小領域ごとに、前記滞留時間が当該小領域に対して予め定められた閾値を超える場合に、前記表示情報の候補の中から表示する前記情報を決定する
ことを特徴とする請求項１に記載の移動体端末。
【請求項３】
前記表示情報決定手段は、
前記閾値を超えた前記小領域ごとに、前記滞留時間に応じて、前記表示情報の候補の中から表示する情報を決定する
ことを特徴とする請求項２に記載の移動体端末。
【請求項４】
前記表示情報決定手段は、
前記閾値を超えた前記小領域ごとに、前記滞留時間の割合に応じて、前記表示情報の候補の中から表示する情報を決定する
ことを特徴とする請求項２に記載の移動体端末。
【請求項５】
前記情報記憶手段は、更に、重みが付けられた複数の枠を有するテンプレートを複数記憶し、
前記移動体端末は、更に、
滞留した前記小領域の数が前記テンプレートの枠の数と等しく、前記滞留した小領域の前記滞留時間の比が前記テンプレートの枠の重みの比に近い前記テンプレートを選択するテンプレート選択手段と、
選択した前記テンプレートの枠を、前記表示情報決定手段が決定した前記情報に置き換える情報整形手段と、
を備え、
前記表示手段は、前記枠を前記情報に置き換えた前記テンプレートを表示する
ことを特徴とする請求項１乃至請求項４のいずれかに記載の移動体端末。
【請求項６】
前記滞留記憶手段は、更に、前記小領域の滞留した順番を記憶し、
前記表示情報決定手段は、滞留した前記小領域の順番に応じて、前記表示情報の候補の中から表示する前記情報を決定する
請求項１に記載の移動体端末。
【請求項７】
前記領域は、複数の店舗を含む施設であって、前記小領域は、当該施設内の店舗である
ことを特徴とする請求項１乃至請求項６のいずれかに記載の移動体端末。
【請求項８】
領域に含まれる複数の小領域に関する情報を、前記領域に滞留した後に表示する移動体端末の方法であって、
位置情報を取得する位置取得ステップと、
前記領域の境界情報、前記小領域の境界情報、及び、前記小領域ごとに関連付けられた表示情報の候補を記憶する情報記憶ステップと、
前記位置情報と、前記領域の境界情報とから、前記領域に滞留しているか否かを判定する領域滞留判定ステップと、
前記位置情報と、前記小領域の境界情報とから、前記小領域に滞留しているか否かを判定する小領域滞留判定ステップと、
滞留した前記小領域、及び、滞留した前記小領域ごとの滞留時間を記憶する滞留記憶ステップと、
前記領域滞留判定ステップが前記領域から離れたと判定した後、滞留した前記小領域ごとに、前記滞留記憶ステップが記憶した情報に基づいて、前記表示情報の候補の中から表示する前記情報を決定する表示情報決定ステップと、
決定した前記情報を表示する表示ステップと、
を含むことを特徴とする移動体端末の方法。
【請求項９】
領域に含まれる複数の小領域に関する情報を、前記領域に滞留した後に表示する移動体端末のプログラムであって、
コンピュータに、
位置情報を取得する位置取得ステップと、
前記領域の境界情報、前記小領域の境界情報、及び、前記小領域ごとに関連付けられた表示情報の候補を記憶する情報記憶ステップと、
前記位置情報と、前記領域の境界情報とから、前記領域に滞留しているか否かを判定する領域滞留判定ステップと、
前記位置情報と、前記小領域の境界情報とから、前記小領域に滞留しているか否かを判定する小領域滞留判定ステップと、
滞留した前記小領域、及び、滞留した前記小領域ごとの滞留時間を記憶する滞留記憶ステップと、
前記領域滞留判定ステップが前記領域から離れたと判定した後、滞留した前記小領域ごとに、前記滞留記憶ステップが記憶した情報に基づいて、前記表示情報の候補の中から表示する前記情報を決定する表示情報決定ステップと、
決定した前記情報を表示する表示ステップと、
を実行させるための移動体端末のプログラム。
【請求項１０】
位置情報を取得するとともに、受信した情報を表示する移動体端末と、ネットワークを介して接続される情報カスタマイズサーバであって、
前記移動体端末から、位置情報を取得する位置取得手段と、
領域の境界情報、当該領域に含まれる複数の小領域の境界情報、及び、前記小領域ごとに関連付けられた表示情報の候補を記憶する情報記憶手段と、
前記位置情報と、前記領域の境界情報とから、前記領域に滞留しているか否かを判定する領域滞留判定手段と、
前記位置情報と、前記小領域の境界情報とから、前記小領域に滞留しているか否かを判定する小領域滞留判定手段と、
滞留した前記小領域、及び、滞留した前記小領域ごとの滞留時間を記憶する滞留記憶手段と、
前記領域滞留判定手段が前記領域から離れたと判定した後、滞留した前記小領域ごとに、前記滞留記憶手段が記憶した情報に基づいて、前記表示情報の候補の中から表示する前記情報を決定する表示情報決定手段と、
決定した前記情報を、前記移動体端末へ送信する送信手段と、
を備えることを特徴とする情報カスタマイズサーバ。
【請求項１１】
位置情報を取得するとともに、受信した情報を表示する移動体端末と、ネットワークを介して接続される情報カスタマイズサーバのプログラムであって、
コンピュータに、
前記移動体端末から、位置情報を取得する位置取得ステップと、
領域の境界情報、当該領域に含まれる複数の小領域の境界情報、及び、前記小領域ごとに関連付けられた表示情報の候補を記憶する情報記憶ステップと、
前記位置情報と、前記領域の境界情報とから、前記領域に滞留しているか否かを判定する領域滞留判定ステップと、
前記位置情報と、前記小領域の境界情報とから、前記小領域に滞留しているか否かを判定する小領域滞留判定ステップと、
滞留した前記小領域、及び、滞留した前記小領域ごとの滞留時間を記憶する滞留記憶ステップと、
前記領域滞留判定手段が前記領域から離れたと判定した後、滞留した前記小領域ごとに、前記滞留記憶手段が記憶した情報に基づいて、前記表示情報の候補の中から表示する前記情報を決定する表示情報決定ステップと、
決定した前記情報を、前記移動体端末へ送信する送信ステップと、
を実行させるための情報カスタマイズサーバのプログラム。
【発明の詳細な説明】
【技術分野】
【０００１】
本発明は、複数の店舗が集合した店舗等において生活者に情報を提供する情報提供システム等に関するものである。
【背景技術】
【０００２】
近年、店舗では生活者に対してアンケートやクーポンのような情報を提供するため、電子メール等により送付するという方法が普及している。しかしながら、商品を購入した生活者にのみ情報を送付するようにすると、来店はしたが商品を購入しなかった生活者に対しては情報を提供することができない。
【０００３】
商品を購入していなくても、店舗に訪れた生活者に対して情報を提供するため、特許文献１の携帯端末システムは、位置検出手段によって携帯端末の位置を検出し、生活者の滞在時間の長さによって移動中か否かを判断し、生活者の行動に関連すると思われる施設情報を抽出して表示するという方法を開示している。
特許文献２の情報配信装置は、移動体端末から送られてきた位置登録要求を受け付け、移動体端末が特定の領域から離れたと判定すると、移動体端末に対して配信情報を配信するという方法を開示している。
また、特許文献３では、移動体端末を有する生活者の位置情報や行動履歴から情報を選択する方法を開示している。
【先行技術文献】
【特許文献】
【０００４】
【特許文献１】特開２０１０−４１４６９号公報
【特許文献２】特開２０１１−２１６９９０号公報
【特許文献３】ＷＯ０３／００９１７６
【発明の概要】
【発明が解決しようとする課題】
【０００５】
しかしながら、特許文献１〜３に記載の方法では、ショッピングモールや百貨店のように複数の店舗が集合した店舗に応用しようとする場合、ショッピングモール全体でアンケートやクーポン等の情報を生活者が所持する移動体端末に対して送付すると、生活者がショッピングモール内で利用していないテナント店舗に関する情報も含まれてしまい、生活者にとって煩わしいという状況になる。
また、ショッピングモール内の店舗毎にアンケートやクーポン等の情報を送付しようとした場合、生活者が各テナント店舗を出入りする度に移動体端末に情報が送られてしまうため、他のテナント店舗における買い物を阻害してしまう恐れがある。更に、生活者が訪れた全てのテナント店舗から個別にアンケートが送られてしまい、生活者が全てのアンケートに回答することは面倒で煩雑である。
【０００６】
本発明は、前述した問題点に鑑みてなされたもので、その目的とすることは、複数の店舗が集合した店舗において、各テナント店舗での滞在時間に応じて生活者が所持する移動体端末に情報を提供する情報提供システム等提供することである。
【課題を解決するための手段】
【０００７】
前述した目的を達成するために第１の発明は、領域に含まれる複数の小領域に関する情報を、前記領域に滞留した後に表示する移動体端末であって、位置情報を取得する位置取得手段と、前記領域の境界情報、前記小領域の境界情報、及び、前記小領域ごとに関連付けられた表示情報の候補を記憶する情報記憶手段と、前記位置情報と、前記領域の境界情報とから、前記領域に滞留しているか否かを判定する領域滞留判定手段と、前記位置情報と、前記小領域の境界情報とから、前記小領域に滞留しているか否かを判定する小領域滞留判定手段と、滞留した前記小領域、及び、滞留した前記小領域ごとの滞留時間を記憶する滞留記憶手段と、前記領域滞留判定手段が前記領域から離れたと判定した後、滞留した前記小領域ごとに、前記滞留記憶手段が記憶した情報に基づいて、前記表示情報の候補の中から表示する前記情報を決定する表示情報決定手段と、決定した前記情報を表示する表示手段と、を備えることを特徴とする移動体端末である。
【０００８】
領域とは、ショッピングモールや百貨店のような複数の店舗が集合した施設であってよく、小領域とは、施設に含まれる店舗であってよい。また、表示情報とは、例えば、店舗に関するクーポンやアンケートであってよい。
第１の発明によって、ショッピングモールや百貨店のような複数の店舗が集合した施設を訪れた移動体端末を所有する生活者に対して、生活者が施設を出た後、生活者が滞在した店舗に関するクーポン、アンケート等の情報を生活者が所有する移動体端末に表示することができる。
【０００９】
第１の発明の表示情報決定手段は、滞留した前記小領域ごとに、前記滞留時間が当該小領域に対して予め定められた閾値を超える場合に、前記表示情報の候補の中から表示する前記情報を決定することが望ましい。
これによって、生活者が一定時間以上滞在した店舗に対してのみ、クーポン、アンケート等の情報を生活者が所有する移動体端末に表示することができる。
【００１０】
第１の発明の表示情報決定手段は、前記閾値を超えた前記小領域ごとに、前記滞留時間に応じて、前記表示情報の候補の中から表示する情報を決定することが望ましい。
これによって、生活者が一定時間以上滞在した店舗に対して、滞在時間に応じたクーポン、アンケート等の情報を生活者が所有する移動体端末に表示することができるため、長く滞在した店舗に対する有利なクーポン等を表示することができる。
【００１１】
第１の発明の表示情報決定手段は、前記閾値を超えた前記小領域ごとに、前記滞留時間の割合に応じて、前記表示情報の候補の中から表示する情報を決定することが望ましい。
これによって、生活者が一定時間以上滞在した店舗に対して、滞在時間に割合に応じたクーポン、アンケート等の情報を生活者が所有する移動体端末に表示することができるため、店舗間に序列をつけて生活者の嗜好にあわせて有利なクーポン等を表示することができる。
【００１２】
第１の発明の情報記憶手段は、更に、重みが付けられた複数の枠を有するテンプレートを複数記憶し、前記移動体端末は、更に、滞留した前記小領域の数が前記テンプレートの枠の数と等しく、前記滞留した小領域の前記滞留時間の比が前記テンプレートの枠の重みの比に近い前記テンプレートを選択するテンプレート選択手段と、選択した前記テンプレートの枠を、前記表示情報決定手段が決定した前記情報に置き換える情報整形手段と、を備え、前記表示手段は、前記枠を前記情報に置き換えた前記テンプレートを表示することが望ましい。
これによって、生活者が長く滞在したテナント店舗に関する情報は大きく表示することができる。
【００１３】
第１の発明の滞留記憶手段は、更に、前記小領域の滞留した順番を記憶し、前記表示情報決定手段は、滞留した前記小領域の順番に応じて、前記表示情報の候補の中から表示する前記情報を決定することが望ましい。
これによって、生活者が滞在した順番に情報が表示されるため、生活者にとってわかりやすい。
また、第１の発明において、領域は、複数の店舗を含む施設であって、小領域は、当該施設内の店舗であることが望ましい。
【００１４】
第２の発明は、領域に含まれる複数の小領域に関する情報を、前記領域に滞留した後に表示する移動体端末の方法であって、位置情報を取得する位置取得ステップと、前記領域の境界情報、前記小領域の境界情報、及び、前記小領域ごとに関連付けられた表示情報の候補を記憶する情報記憶ステップと、前記位置情報と、前記領域の境界情報とから、前記領域に滞留しているか否かを判定する領域滞留判定ステップと、前記位置情報と、前記小領域の境界情報とから、前記小領域に滞留しているか否かを判定する小領域滞留判定ステップと、滞留した前記小領域、及び、滞留した前記小領域ごとの滞留時間を記憶する滞留記憶ステップと、前記領域滞留判定ステップが前記領域から離れたと判定した後、滞留した前記小領域ごとに、前記滞留記憶ステップが記憶した情報に基づいて、前記表示情報の候補の中から表示する前記情報を決定する表示情報決定ステップと、決定した前記情報を表示する表示ステップと、を含むことを特徴とする移動体端末の方法である。
第２の発明によって、複数の店舗を含む施設を訪れた生活者に対して、生活者が店舗を出た後、生活者が滞在した店舗に関するクーポン、アンケート等の情報を生活者が所有する移動体端末に表示することができる。
【００１５】
第３の発明は、領域に含まれる複数の小領域に関する情報を、前記領域に滞留した後に表示する移動体端末のプログラムであって、コンピュータに、位置情報を取得する位置取得ステップと、前記領域の境界情報、前記小領域の境界情報、及び、前記小領域ごとに関連付けられた表示情報の候補を記憶する情報記憶ステップと、前記位置情報と、前記領域の境界情報とから、前記領域に滞留しているか否かを判定する領域滞留判定ステップと、前記位置情報と、前記小領域の境界情報とから、前記小領域に滞留しているか否かを判定する小領域滞留判定ステップと、滞留した前記小領域、及び、滞留した前記小領域ごとの滞留時間を記憶する滞留記憶ステップと、前記領域滞留判定ステップが前記領域から離れたと判定した後、滞留した前記小領域ごとに、前記滞留記憶ステップが記憶した情報に基づいて、前記表示情報の候補の中から表示する前記情報を決定する表示情報決定ステップと、決定した前記情報を表示する表示ステップと、を実行させるための移動体端末のプログラムである。
第３の発明のコンピュータにインストールすることによって、第１の発明を得て、第２の方法を実行することができる。
【００１６】
第４の発明は、位置情報を取得するとともに、受信した情報を表示する移動体端末と、ネットワークを介して接続される情報カスタマイズサーバであって、前記移動体端末から、位置情報を取得する位置取得手段と、領域の境界情報、当該領域に含まれる複数の小領域の境界情報、及び、前記小領域ごとに関連付けられた表示情報の候補を記憶する情報記憶手段と、前記位置情報と、前記領域の境界情報とから、前記領域に滞留しているか否かを判定する領域滞留判定手段と、前記位置情報と、前記小領域の境界情報とから、前記小領域に滞留しているか否かを判定する小領域滞留判定手段と、滞留した前記小領域、及び、滞留した前記小領域ごとの滞留時間を記憶する滞留記憶手段と、前記領域滞留判定手段が前記領域から離れたと判定した後、滞留した前記小領域ごとに、前記滞留記憶手段が記憶した情報に基づいて、前記表示情報の候補の中から表示する前記情報を決定する表示情報決定手段と、決定した前記情報を、前記移動体端末へ送信する送信手段と、を備えることを特徴とする情報カスタマイズサーバである。
第４の発明によって、ショッピングモールや百貨店のような複数の店舗が集合した施設を訪れた移動体端末を所有する生活者から、位置情報を取得して、情報カスタマイズサーバは、生活者が施設を出た後、生活者が滞在した店舗に関するクーポン、アンケート等の情報を生活者が所有する移動体端末に表示することができる。
【００１７】
第５の発明は、位置情報を取得するとともに、受信した情報を表示する移動体端末と、ネットワークを介して接続される情報カスタマイズサーバのプログラムであって、コンピュータに、前記移動体端末から、位置情報を取得する位置取得ステップと、領域の境界情報、当該領域に含まれる複数の小領域の境界情報、及び、前記小領域ごとに関連付けられた表示情報の候補を記憶する情報記憶ステップと、前記位置情報と、前記領域の境界情報とから、前記領域に滞留しているか否かを判定する領域滞留判定ステップと、前記位置情報と、前記小領域の境界情報とから、前記小領域に滞留しているか否かを判定する小領域滞留判定ステップと、滞留した前記小領域、及び、滞留した前記小領域ごとの滞留時間を記憶する滞留記憶ステップと、前記領域滞留判定手段が前記領域から離れたと判定した後、滞留した前記小領域ごとに、前記滞留記憶手段が記憶した情報に基づいて、前記表示情報の候補の中から表示する前記情報を決定する表示情報決定ステップと、決定した前記情報を、前記移動体端末へ送信する送信ステップと、を実行させるための情報カスタマイズサーバのプログラムである。
第５の発明をコンピュータにインストールすることによって、第４の発明である情報カスタマイズサーバを実現することができる。
【発明の効果】
【００１８】
本発明により、複数の店舗が集合した店舗において、各テナント店舗での滞在時間に応じて生活者が所持する移動体端末に情報を提供する情報提供システム等提供することができる。
【図面の簡単な説明】
【００１９】
【図１】本発明の第１の実施の形態に係る情報提供システム１の概要を示す図
【図２】移動体端末３の記憶部１５の詳細を示す図
【図３】表示情報候補２３の一例を示す図
【図４】テンプレートデータ２４の一例を示す図
【図５】情報提供システム１における情報提供処理の流れを示すフローチャート
【図６】ステップＳ１０８の表示情報決定処理の詳細を示すフローチャート
【図７】ステップＳ２０２のテンプレート選択処理の詳細を示すフローチャート
【図８】ステップＳ３０２のスコア計算処理の詳細を示すフローチャート
【図９】ステップＳ２０３の枠に対応する小領域選択処理の詳細を示すフローチャート
【図１０】本発明の第２の実施の形態に係る情報提供システム２の概要を示す図
【図１１】サーバ５を実現するコンピュータのハードウエア構成を示す図
【図１２】サーバ５の記憶部５２の詳細を示す図
【発明を実施するための形態】
【００２０】
以下図面に基づいて、本発明の実施形態を詳細に説明する。
図１は、本発明の第１の実施の形態に係る情報提供システム１の概要を示す図である。
情報提供システム１は、移動体端末３等から構成される。
移動体端末３は、店舗に訪れた生活者が所有する携帯電話、タブレット、ゲーム端末、車載端末等の情報表示部を備えた端末である。移動体端末３は、制御部１１、無線通信部１２、情報表示部１３、入力部１４、記憶部１５、位置取得部１６等がバス１７を介して接続される。図１は、移動体端末３としての一例であり、用途、目的に応じて様々な構成を採ることが可能である。
【００２１】
制御部１１は、プログラムの実行を行うＣＰＵ（Ｃｅｎｔｒａｌ  Ｐｒｏｃｅｓｓｉｎｇ  Ｕｎｉｔ）と、ＯＳ（Ｏｐｅｒａｔｉｎｇ  Ｓｙｓｔｅｍ）、プログラム命令あるいはデータ等を格納するためのＲＯＭ（Ｒｅａｄ  Ｏｎｌｙ  Ｍｅｍｏｒｙ）、一時的な作業用データを格納するためのＲＡＭ（Ｒａｎｄｏｍ  Ａｃｃｅｓｓ  Ｍｅｍｏｒｙ）等の記憶部から構成される。制御部１１は、移動体端末３の処理全体を制御する。
【００２２】
無線通信部１２は、基地局（図示しない）との間で行われる無線通信を制御する。無線通信部１２は、制御部１１の制御の下、音声に関するデータやパケット通信用のデータ等の信号を生成し、基地局に送信したり、あるいは、基地局から送信される無線信号を受信し、受信した信号を復調して音声に関するデータやパケット通信用のデータを取得したりする。
【００２３】
情報表示部１３は液晶表示パネル等を有し、表示制御を行う。
入力部１４は、数字や文字、操作指示を入力するためのキーボタンや、液晶表示パネルのような情報表示部１３と組み合わせられたタッチパッド等の入力装置であり、入力の操作に応じた信号を制御部１１に出力する。
記憶部１５は、移動体端末３にインストールされているアプリケーションプログラムや、電話番号及びメールアドレス等のアドレス帳データ、各種データ等が格納されている。
位置取得部１６は、ＧＰＳ（Ｇｌｏｂａｌ  Ｐｏｓｉｔｉｏｎｉｎｇ  Ｓｙｓｔｅｍ）、ＩＭＥＳ（Ｉｎｄｏｏｒ  Ｍｅｓｓａｇｉｎｇ  Ｓｙｓｔｅｍ）、フェムトセル、無線ＬＡＮ（Ｌｏｃａｌ  Ａｒｅａ  Ｎｅｔｗｏｒｋ）測位等の屋内測位技術を用いて、ショッピングモールのような店舗内における位置を測位する。位置は、経度及び緯度の形式や、ショッピングモールや百貨店等の特定の建物に対する地図上での座標値、最も近い無線ＬＡＮアクセスポイントＩＤ、あるいは、最も近い店舗のＩＤ等の形式で与える。
【００２４】
図２は、移動体端末３の記憶部１５の詳細を示す図である。
記憶部１５は、領域情報２１、小領域情報２２、表示情報候補２３、テンプレートデータ２４、情報提供プログラム２５等を有する。
領域情報２１は、ショッピングモール、百貨店等の複数の店舗が集合した店舗の敷地全体の位置及び幾何学的形状を示す情報等の境界情報であり、例えば、多角形やそれを近似する円として表現される。
小領域情報２２は、ショッピングモール、百貨店等の複数の店舗が集合した店舗内の各テナント店舗の位置及び幾何学的形状を示す情報等の境界情報であり、例えば、多角形やそれを近似する円として表現される。
【００２５】
表示情報候補２３は、生活者に対して提示するクーポンを表す画像、アンケートの設問、音声や動画等の情報であり、小領域毎、即ち、テナント店舗毎に定義される。また、表示情報候補２３は、後述するテンプレートデータ２４の各テンプレートの枠毎に細分化して定義してもよい。例えば、テンプレートが大きな枠と小さな枠を持つ場合、大きな枠のためのクーポン画像と、小さな枠のための小さめのクーポン画像、あるいは、大きな枠のためのアンケート設問と小さな枠のための設問数を低減したアンケート設問を定義する。
また、表示情報候補２３は生活者が各テナント店舗で滞在した時間に応じて定義してもよい。例えば、テナント店舗における滞在時間が５分以上と５分未満の場合で別の情報を定義する。
【００２６】
図３は、表示情報候補２３の一例を示す図である。
表示情報候補２３は、小領域ＩＤ３１、大きい枠滞在時間５分未満用３２、大きい枠滞在時間５分以上用３３、小さい枠滞在時間５分未満用３４、小さい枠滞在時間５分以上用３５等を有する。
小領域ＩＤ３１は、各テナント店舗のような小領域を一意に定義する識別子である。
大きい枠滞在時間５分未満用３２は、生活者がテナント店舗に５分未満滞在した場合、テンプレートの大きい枠に表示するためのクーポン画像、アンケート設問等の情報である。
大きい枠滞在時間５分以上用３３は、生活者がテナント店舗に５分以上滞在した場合、テンプレートの大きい枠に表示するためのクーポン画像、アンケート設問等の情報である。
小さい枠滞在時間５分未満用３４は、生活者がテナント店舗に５分未満滞在した場合、テンプレートの小さい枠に表示するためのクーポン画像、アンケート設問等の情報である。
小さい枠滞在時間５分以上用３５は、生活者がテナント店舗に５分以上滞在した場合、テンプレートの小さい枠に表示するためのクーポン画像、アンケート設問等の情報である。
【００２７】
テンプレートデータ２４は、移動体端末３に情報を表示するために使用する雛形であり、複数のテンプレートを保持する。テンプレートデータ２４は、クーポン画像等を二次元的に配置するための記述言語による雛形の形式でもよいし、アンケート設問を配置するための文章の雛形の形式でもよい。
図４は、テンプレートデータ２４の一例を示す図である。
テンプレートデータ２４は、テンプレート４１ａ、４１ｂ、４１ｃのように複数のテンプレートを保持する。
各テンプレート４１ａ、４１ｂ、４１ｃは、それぞれ複数の枠３２を有し、各枠４２には重み４３が設定される。重み４３は、各テナント店舗における生活者の滞在時間の割合と関連付けられる。詳細は後述する。
各テンプレート４１ａ、４１ｂ、４１ｃ等の枠４２の数、及び、各枠４２の重み４３の比の組み合わせが同一のものは複数存在しない。
以降、テンプレート４１ａ、４１ｂ、４１ｃを総称してテンプレート４１とする。
【００２８】
情報提供プログラム２５は、生活者が所有する移動体端末３にクーポン、アンケート等の情報を提供するための専用のプログラムである。情報提供プログラム２５は、生活者が複数の店舗が集合したショッピングモール、百貨店等の施設への入店時、生活者が起動するか、あるいは、バックグラウンドで動作するように予め設定しておく。情報提供プログラム２５は、移動体端末３の位置取得部１６を用いてショッピングモール等で生活者の各テナント店舗での滞在時間を記録し、生活者がショッピングモール、百貨店等の店舗を出た後、各テナント店舗での滞在時間に応じて表示情報候補２３からクーポン画像、アンケート設問等を選択し、滞在時間に応じてテンプレートデータ２４から選択したテンプレート４１に、選択したクーポン画像、アンケート設問等を流し込んで情報表示部１３に表示する。
【００２９】
情報提供プログラム２５は、領域滞在判定手段、滞在時間記憶手段、領域離脱判定手段、表示情報決定手段、テンプレート選択手段、情報整形手段等を有する。
領域滞在判定手段は、移動体端末３の位置取得部１６により位置を取得し、過去の移動体端末３の位置を参照し、領域情報２１が示す領域内、即ち、ショッピングモールや百貨店等の中に移動体端末３が一定時間以上滞在しているかを判定する。生活者がショッピングモール、百貨店等の店舗を通り抜けただけの場合、生活者は一定時間以上滞在していないため、移動体端末３にクーポン画像、アンケート設問等は表示されない。
【００３０】
滞在時間記憶手段は、過去の移動体端末３の位置を参照し、小領域情報２２が示す小領域、即ち、テナント店舗に移動体端末３が一定時間以上滞在した場合、滞在時間を記憶する。
領域離脱判定手段は、移動体端末３が領域情報２１で示す領域内、即ち、ショッピングモールや百貨店内に滞在していると判定した後、移動体端末３の位置取得部１６により取得した位置を参照し、位置が領域外に離脱したと判定した場合、即ち、ショッピングモールや百貨店から出たと判定した場合、表示情報決定手段及びテンプレート選択手段を呼び出す。
表示情報決定手段は、滞在時間記憶手段により記憶された各小領域での滞在時間に関する情報に基づいて、表示情報候補２３の中から滞在した小領域、即ちテナント店舗に対応する情報を決定する。
【００３１】
テンプレート選択手段は、滞在時間記憶手段により記憶された各小領域での滞在時間に基づいて、テンプレートデータ２４から使用するテンプレート４１を決定する。テンプレート選択手段は、移動体端末３が滞在した小領域の数がテンプレート４１内の枠４２の数と等しく、各小領域での滞在時間の比が各枠４２の重み４３の比と最も近いテンプレート４１を探す。例えば、滞在した各小領域での滞在時間を小さい順に並べ、テンプレート４１内の枠４２の重み４３を小さい順に並べ、各小領域での滞在時間と枠４２の重み４３を正規化し、内積が最も大きいテンプレート４１を選択する。
例えば、小領域Ａに５分、小領域Ｂに６分、小領域Ｃに１０分滞在した場合、滞在した小領域数は３と等しい３つの枠４２を有するテンプレート４１の中から、重み４３の比と最も近いテンプレート４１ｂを選択する。
【００３２】
情報整形手段は、滞在した時間の小さい順に小領域を並べ、テンプレート選択手段により選択したテンプレート４１の各枠４２を重み４３の小さい順に並べ、先頭から小領域と枠４２を対応付け、表示情報決定手段により決定した各小領域に対応する情報を対応する枠４２に流し込む。
例えば、小領域Ａに５分、小領域Ｂに６分、小領域Ｃに１０分滞在し、テンプレートデータ２４からテンプレート４１ｂを選択した場合、重み４３が「１０」の枠４２に小領域Ｃを、重み４３が「５」の枠４２に小領域Ａ、小領域Ｂを対応付ける。
【００３３】
次に、図５〜９を参照しながら、情報提供システム１における処理を説明する。
図５は、情報提供システム１における情報提供処理の流れを示すフローチャートである。
移動体端末３の制御部１１は、情報提供プログラム２５の領域滞在判定手段に従って、位置取得部１６を用いて位置情報を取得し（ステップＳ１０１）、移動体端末３が領域情報２１で示される領域内、即ち、ショッピングモールや百貨店等の店舗内にあるか判定する（ステップＳ１０２）。
移動体端末３が領域内である場合（ステップＳ１０２）、移動体端末３の制御部１１は情報提供プログラム２５の領域滞在判定手段に従って、移動体端末３が領域内に一定時間以上滞在しているか判定する（ステップＳ１０３）。移動体端末３が領域内に一定時間以上滞在していない場合（ステップＳ１０３のＮｏ）、ステップＳ１０１に戻る。
【００３４】
移動体端末３が領域内に一定時間以上滞在している場合（ステップＳ１０３のＹｅｓ）、滞在フラグをセットし（ステップＳ１０４）、情報提供プログラム２５の滞在時間記憶手段に従って、位置取得部１６により取得した位置と小領域情報２２に基づいて、移動体端末３が現在いる小領域を計算し（ステップＳ１０５）、滞在時間記憶手段に従って、その小領域における滞在時間の記録を変更する（ステップＳ１０６）。
ステップＳ１０１〜Ｓ１０６の処理を繰り返すことにより、移動体端末３の制御部１１は、生活者が領域情報２１で示される領域、即ち、ショッピングモールや百貨店に訪れた場合、各小領域、即ち、各テナント店舗における滞在時間を随時記録する。
【００３５】
生活者がショッピングモールや百貨店の領域を出た場合、移動体端末３の制御部１１は移動体端末３が領域外であると判定し（ステップＳ１０２のＮｏ）、滞在フラグがセットされているか判定する（ステップＳ１０７）。
生活者がショッピングモールや百貨店の領域を単に通り抜けただけの場合、滞在フラグはセットされていないため（ステップＳ１０７のＮｏ）、移動体端末３の制御部１１はステップＳ１０１に戻る。
生活者がショッピングモールや百貨店の領域内で一定時間以上滞在した後、領域を出た場合（ステップＳ１０７のＹｅｓ）、移動体端末３の制御部１１は表示情報を決定し（ステップＳ１０８）、決定した表示情報を情報表示部１３に表示する（ステップＳ１０９）。
【００３６】
図６は、ステップＳ１０８の表示情報決定処理の詳細を示すフローチャートである。
移動体端末３の制御部１１は、情報提供プログラム２５の滞在時間記憶手段により記録した小領域毎の滞在時間を参照し、移動体端末３が一定時間以上滞在した小領域を特定し（ステップＳ２０１）、情報提供プログラム２５のテンプレート選択手段に従って、滞在した小領域数と、小領域毎の滞在時間に基づいてテンプレートデータ２４から最適なテンプレート４１を選択する（ステップＳ２０２）。
【００３７】
図７は、ステップＳ２０２のテンプレート選択処理の詳細を示すフローチャートである。
移動体端末３の制御部１１は、情報提供プログラム２５のテンプレート選択手段に従って、テンプレートデータ２４から移動体端末３が滞在した小領域の数と一致する枠４２を有するテンプレート４１をテンプレート候補として決定し（ステップＳ３０１）、テンプレート候補となったテンプレート４１のスコアを計算する（ステップＳ３０２）。
【００３８】
図８は、ステップＳ３０２のスコア計算処理の詳細を示すフローチャートである。
移動体端末３の制御部１１は、テンプレート４１の各枠４２の重み４３の合計を算出し（ステップＳ４０１）、情報提供プログラム２５の滞在時間記憶手段により記録した移動体端末３が滞在した全ての小領域の合計滞在時間を算出する（ステップＳ４０２）。
移動体端末３の制御部１１は、テンプレート４１の各枠４２の重み４３を、ステップＳ４０１で算出した重み４３の合計で割り、得られた値を小さい順に並べたベクトルを重みベクトルとして算出する（ステップＳ４０３）。
次に、移動体端末３の制御部１１は、移動体端末３が滞在した各小領域の滞在時間を、ステップＳ４０２で算出した合計滞在時間で割り、得られた値を小さい順に並べたベクトルを滞在時間ベクトルとして算出する（ステップＳ４０４）。
そして、重みベクトルと滞在ベクトルの内積を、テンプレート４１のスコアとして算出する(ステップＳ４０５）。
【００３９】
図７の説明に戻る。
移動体端末３の制御部１１は、全てのテンプレート候補となったテンプレート４１のスコアを計算したか判定し（ステップＳ３０３）、全てのテンプレート候補の処理をしていない場合（ステップＳ３０３のＮｏ）、ステップＳ３０２に戻り、全てのテンプレート候補のスコア計算を行う。
移動体端末３の制御部１１は、全てのテンプレート候補の中からスコアが最大であるテンプレート４１を選択する（ステップＳ３０４）。
【００４０】
図６の説明に戻る。
移動体端末３の制御部１１は、情報提供プログラム２５のテンプレート選択手段に従って、選択したテンプレート４１の各枠４２に対応する小領域を選択する（ステップＳ２０３）。
図９は、ステップＳ２０３の枠に対応する小領域選択処理の詳細を示すフローチャートである。
移動体端末３の制御部１１は、選択したテンプレート４１の各枠４２の重み４３の合計を算出し（ステップＳ５０１）、情報提供プログラム２５の滞在時間記憶手段により記録した移動体端末３が滞在した全ての小領域の合計滞在時間を算出する（ステップＳ５０２）。
移動体端末３の制御部１１は、テンプレート４１の各枠４２の重み４３を、ステップＳ５０１で算出した重み４３の合計で割り、得られた値を小さい順に並べたベクトルを枠ベクトルとして算出する（ステップＳ５０３）。
次に、移動体端末３の制御部１１は、移動体端末３が滞在した各小領域の滞在時間を、ステップＳ５０２で算出した合計滞在時間で割り、得られた値を小さい順に並べたベクトルを小領域ベクトルとして算出する（ステップＳ５０４）。
移動体端末３の制御部１１は、インデックスをｉとすると、枠ベクトルのｉ番目の枠４２と、小領域ベクトルのｉ番目の小領域を対応付け（ステップＳ５０５）、枠４２に対応する小領域を決定する（ステップＳ５０６）。
【００４１】
図６の説明に戻る。
移動体端末３の制御部１１は、情報提供プログラム２５の表示情報決定手段に従って、選択したテンプレート４１の各枠４２に対応する小領域での滞在時間に基づいて、表示情報候補２３から表示する情報の内容を決定する（ステップＳ２０４）。例えば、枠４２に小領域ＩＤ３１が「１」の小領域に関する情報を表示する場合、情報提供プログラム２５の滞在時間記憶手段により記録した小領域ＩＤ３１が「１」の小領域の滞在時間が５分未満で、枠４２が大きい枠の場合は「情報１」を、滞在時間が５分以上で枠４２が大きい枠の場合は「情報２」を、滞在時間が５分未満で小さい枠の場合は「情報３」を、滞在時間が５分以上で小さい枠の場合は「情報４」を表示する情報として決定する。
移動体端末３の制御部１１は、情報提供プログラム２５の情報整形手段に従って、テンプレート４１の各枠４２に決定した情報の内容で置き換える（ステップＳ２０５）。
移動体端末３の制御部１１は、選択したテンプレート４１の全ての枠４２の処理をしたか判定し（ステップＳ２０６）、処理していない枠４２がある場合（ステップＳ２０６のＮｏ）、ステップＳ２０３に戻り、次の枠４２の処理を行う。
【００４２】
なお、第１実施形態における表示情報決定処理は、上記の処理に限られない。
例えば、移動体端末３の制御部１１は、小領域ごとに滞留時間の閾値を設定し、滞留時間が当該閾値を超えた小領域に対して、表示情報を決定し、決定した表示情報を情報表示部１３に表示してもよい。
また、移動体端末３の制御部１１は、小領域ごとに滞留時間の閾値を設定し、滞留時間が当該閾値を超えた小領域ごとに、滞留時間に応じて、表示情報を決定し、決定した表示情報を情報表示部１３に表示してもよい。
さらに、移動体端末３の制御部１１は、小領域ごとに滞留時間の閾値を設定し、滞留時間が当該閾値を超えた小領域ごとに、滞留時間の割合に応じて、表示情報を決定し、決定した表示情報を情報表示部１３に表示してもよい。
また、移動体端末３の制御部１１は、滞留した小領域の順番に応じて、表示情報を決定し、決定した表示情報を情報表示部１３に表示してもよい。
なお、このような構成とすることができるのは、後述する第２実施形態のサーバ５の制御部５１においても同様である。
【００４３】
以上の通り、情報提供システム１では、ショッピングモールや百貨店のように複数の店舗が集合した店舗において、生活者が各テナント店舗で滞在したテナント店舗数と、各テナント店舗における滞在時間に応じて、移動体端末３にクーポン画像、アンケート設問等の情報を表示する。情報提供システムでは、生活者が店舗を出た後、滞在したテナント店舗に関する情報のみが表示され、また、各テナント店舗における滞在時時間に応じて異なるクーポン画像、アンケート設問を表示することができる。
【００４４】
次に、図１０〜１２を参照しながら、本発明の第２の実施携帯に係る情報提供システム２について説明する。
図１０は、本発明の第２の実施の形態に係る情報提供システム２の概要を示す図である。
情報提供システム２は、移動体端末３、サーバ５等から構成される。
移動体端末３とサーバ５は、インターネットや電話回線等を通じて通信する。
【００４５】
移動体端末３は、店舗に訪れた生活者が所有する携帯電話、タブレット、ゲーム端末、車載端末等の情報表示部を備えた端末である。移動体端末３は、図１に示す第１の実施の形態に係る情報提供システム１の移動体端末３と同じであり、制御部１１、無線通信部１２、情報表示部１３、入力部１４、記憶部１５、位置取得部１６等を有する。ただし、移動体端末３において位置取得部１６は必須ではなく、移動体端末３が発生させる信号を、店舗等に設置される基地局（図示しない）が受信し、移動体端末３の位置測位を行うようにしてもよい。
【００４６】
移動体端末３の記憶部１５は、図２に示す情報提供プログラム２５等を有する。移動帯端末３が位置取得部１６を有する場合、情報提供プログラム２５は、位置取得部１６により取得した位置情報をサーバ５に連続的に送信する。情報提供プログラム２５は、サーバ５から受信したクーポン画像、アンケート設問を含む情報を情報表示部１３に表示する。
【００４７】
図１１は、サーバ５を実現するコンピュータのハードウエア構成を示す図である。尚、図２のハードウエア構成は一例であり、用途、目的に応じて様々な構成を採ることが可能である。
コンピュータは、制御部５１、記憶部５２、入力部５３、表示部５４、通信部５５等が、バス５６を介して接続される。
【００４８】
制御部５１は、ＣＰＵ、ＲＯＭ、ＲＡＭ等で構成される。
ＣＰＵは、記憶部５２、ＲＯＭ、記録媒体等に格納されるプログラムをＲＡＭ上のワークメモリ領域に呼び出して実行し、バス５６を介して接続された各装置を駆動制御し、コンピュータが行う処理を実現する。
ＲＯＭは、不揮発性メモリであり、プログラムやデータ等を恒久的に保持している。
ＲＡＭは、揮発性メモリであり、記憶部５２、ＲＯＭ、記録媒体等からロードしたプログラム、データ等を一時的に保持するとともに、制御部５１が各種処理を行う為に使用するワークエリアを備える。
【００４９】
記憶部５２は、フラッシュメモリ等であり、制御部５１が実行するプログラム、プログラム実行に必要なデータ等が格納される。これらの各プログラムコードは、制御部５１のＣＰＵにより必要に応じて読み出されてＲＡＭに移され、各種の手段として実行される。
入力部５３は、データの入力を行い、例えば、タッチパネル、キー等の入力装置を有する。入力部５３を介して、コンピュータに対して、操作指示、動作指示、データ入力等を行うことができる。
表示部５４は、液晶パネル等のディスプレイ装置と連携してコンピュータのビデオ機能を実現するための論理回路等（ビデオアダプタ等）を有する。
通信部５５は、無線ＬＡＮ等のネットワーク（図示しない）等との間の通信を媒介する通信インタフェースであり、他のコンピュータ等と通信を行う。
サーバ５は、図示しない周辺機器Ｉ／Ｆ（インタフェース）部等も有する。
バス５６は、各装置間の制御信号、データ信号等の授受を媒介する経路である。
【００５０】
図１２は、サーバ５の記憶部５２の詳細を示す図である。
記憶部５２は、領域情報２１、小領域情報２２、表示情報候補２３、テンプレートデータ２４、情報提供プログラム６５等を有する。
領域情報２１は、ショッピングモール、百貨店等の複数の店舗が集合した店舗の敷地全体の位置及び幾何学的形状を示す情報であり、図２に示す領域情報２１と同じである。
小領域情報２２は、ショッピングモール、百貨店等の複数の店舗が集合した店舗内の各テナント店舗の位置及び幾何学的形状を示す情報であり、図２に示す小領域情報２２と同じである。
表示情報候補２３は、生活者に対して提示するクーポンを表す画像、アンケートの設問、音声や動画等の情報であり、図２に示す表示情報候補２３と同じである。
テンプレートデータ２４は、移動体端末３に情報を表示するために使用する雛形であり、図２に示すテンプレートデータ２４と同じである。
【００５１】
情報提供プログラム６５は、生活者が所有する移動体端末３にクーポン、アンケート等の情報を提供するためのプログラムである。情報提供プログラム６５は、移動体端末３から送信される移動体端末３の位置情報を用いて、生活者の各テナント店舗での滞在時間を記録し、生活者がショッピングモール、百貨店等の店舗を出た後、各テナント店舗での滞在時間に応じて表示情報候補２３からクーポン画像、アンケート設問等を選択し、滞在時間に応じてテンプレートデータ２４から選択したテンプレート４１に選択したクーポン画像、アンケート設問等を流し込んで整形した情報を移動体端末３に送信する。
【００５２】
情報提供プログラム６５は、領域滞在判定手段、滞在時間記憶手段、領域離脱判定手段、表示情報決定手段、テンプレート選択手段、情報整形手段等を有する。
領域滞在判定手段は、移動体端末３の位置取得部１６により位置を取得するか、あるいは、移動体端末３が発生させる信号を基地局（図示しない）により受信し、それに基づいてサーバ５が移動体端末３の位置を取得する。そして、過去の移動体端末３の位置を参照し、領域情報２１が示す領域内に移動体端末３が一定時間以上滞在しているかを判定する。
滞在時間記憶手段、領域離脱判定手段、表示情報決定手段、テンプレート選択手段、情報整形手段は、第１の実施の形態の情報提供システム１における移動体端末３の情報提供プログラム２５の滞在時間記憶手段、領域離脱判定手段、表示情報決定手段、テンプレート選択手段、情報整形手段と同じである。
【００５３】
次に、図５を参照しながら、情報提供システム２における処理を説明する。
サーバ５の制御部５１は、情報提供プログラム２５の領域滞在判定手段に従って、移動体端末３の位置を取得し（ステップＳ１０１）、移動体端末３が領域情報２１で示される領域内、即ち、ショッピングモールや百貨店等の店舗内にあるか判定する（ステップＳ１０２）。
移動体端末３が領域内である場合（ステップＳ１０２）、サーバ５の制御部５１は情報提供プログラム２５の領域滞在判定手段に従って、移動体端末３が領域内に一定時間以上滞在しているか判定する（ステップＳ１０３）。移動体端末３が領域内に一定時間以上滞在していない場合（ステップＳ１０３のＮｏ）、ステップＳ１０１に戻る。
【００５４】
移動体端末３が領域内に一定時間以上滞在している場合（ステップＳ１０３のＹｅｓ）、滞在フラグをセットし（ステップＳ１０４）、情報提供プログラム２５の滞在時間記憶手段に従って、移動体端末３の位置と小領域情報２２に基づいて、移動体端末３が現在いる小領域を計算し（ステップＳ１０５）、滞在時間記憶手段に従って、その小領域における滞在時間の記録を変更する（ステップＳ１０６）。
ステップＳ１０１〜Ｓ１０６の処理を繰り返すことにより、サーバ５の制御部５１は、生活者が領域情報２１で示される領域、即ち、ショッピングモールや百貨店に訪れた場合、各小領域、即ち、各テナント店舗における滞在時間を随時記録する。
【００５５】
生活者がショッピングモールや百貨店の領域を出た場合、サーバ５の制御部５１は移動体端末３が領域外であると判定し（ステップＳ１０２のＮｏ）、滞在フラグがセットされているか判定する（ステップＳ１０７）。
生活者がショッピングモールや百貨店の領域を単に通り抜けただけの場合、滞在フラグはセットされていないため（ステップＳ１０７のＮｏ）、サーバ５の制御部５１はステップＳ１０１に戻る。
生活者がショッピングモールや百貨店の領域内で一定時間以上滞在した後、領域を出た場合（ステップＳ１０７のＹｅｓ）、サーバ５の制御部５１は表示情報を決定し（ステップＳ１０８）、決定した表示情報を移動体端末３に送信する。
【００５６】
ステップＳ１０８の表示情報決定処理の詳細は、図６と同じである。
ステップＳ２０２のテンプレート選択処理の詳細は、図７と同じである。
ステップＳ３０２のスコア計算処理の詳細は、図８と同じである。
ステップＳ２０３の枠に対応する小領域選択処理の詳細は、図９と同じである。
【００５７】
以上の通り、情報提供システム２では、移動体端末３とサーバ５により、第１の実施の形態と同様に、生活者が各テナント店舗で滞在したテナント店舗数と、各テナント店舗における滞在時間に応じて、移動体端末３にクーポン画像、アンケート設問等の情報を表示することができる。第１の実施の形態の情報提供システム１では、移動体端末３の記憶部１５内に予めクーポン画像、アンケート設問等の情報を予め保持させていたが、情報提供システム２では、移動体端末３が領域から出た後、サーバ５から移動体端末３に情報を送信するため、常に最新の情報を移動体端末３で表示することができる。
【００５８】
また、第１、第２の実施の形態においては、移動体端末３の記憶部１５、あるいは、サーバ５の記憶部５２にクーポン画像、アンケート設問等の情報を表示するために使用する雛形であるテンプレートデータ２４を保持し、情報提供プログラム２５，６５のテンプレート選択手段によりテンプレートデータ２４からテンプレート４１を選択し、情報を整形したが、テンプレートデータ２４、テンプレート選択手段を使わないというようにしてもよい。
例えば、移動体端末３で表示するアンケートの設問総数を予め決めておき、小領域に滞在した時間の比に応じて、各小領域に対応するアンケート設問数を割り当て、生活者が滞在した小領域の順番にアンケート設問を並べるという方法がある。
あるいは、移動体端末３で表示するアンケートの設問総数は設定せず、各小領域に滞在した時間に応じて、各小領域に対応するアンケート設問数を決定する。例えば、小領域における滞在時間が５分未満であれば１問、５分以上であれば２問とする。
これにより、テンプレートの選択、テンプレート内の各枠への小領域の割り当て等が不要となり、情報提供のための処理を簡易化できる。
【００５９】
以上、添付図面を参照しながら、本発明に係る情報提供システム等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００６０】
１、２………情報提供システム
３………移動体端末
５………サーバ
１１………制御部
１２………無線通信部
１３………情報表示部
１４………入力部
１５………記憶部
１６………位置取得部
１７………バス
２１………領域情報
２２………小領域情報
２３………表示情報候補
２４………テンプレートデータ
２５………情報提供プログラム
５１………制御部
５２………記憶部
５３………入力部
５４………表示部
５５………通信部
５６………バス
【図１】
2014067264.tif 000003
【図２】
2014067264.tif 000004
【図３】
2014067264.tif 000005
【図４】
2014067264.tif 000006
【図５】
2014067264.tif 000007
【図６】
2014067264.tif 000008
【図７】
2014067264.tif 000009
【図８】
2014067264.tif 000010
【図９】
2014067264.tif 000011
【図１０】
2014067264.tif 000012
【図１１】
2014067264.tif 000013
【図１２】
2014067264.tif 000014